(57)【要約】【課題】光ディスクをその標準再生速度より大きな速度で再生されたデータを再生不良に起因する不良データを除いて、書込可能な光ディスクに記録する光ディスク高速再生記録装置を提供することを目的とする。【解決手段】光ディスク高速再生記録装置において、第１の読出データ品質判定部（２００、Ｓｊｒ；３００、Ｓ１８）は読み出された第２の単位のデジタルデータ（Ｓａｄ、Ｓｓｂ）にビットずれが検出される場合には、再読出部（３００；Ｓ２４〜Ｓ３６）は第２の単位のデジタルデータ（Ｓａｄ、Ｓｓｂ）第２の再生速度（Ｎ）より第１の所定速度（Ｖｐ）だけ小さな第３の再生速度（Ｋ）で第１の単位のデジタルデータ（トラック、セクター、データブロック）を第２の単位で再度読み出す。【選択図】　　　　図１
2004047019.tif 000002
【特許請求の範囲】
【請求項１】
デジタルデータが第１の単位で記録されている第１の光ディスクを標準再生速度である第１の再生速度より大きな第２の再生速度で当該第１の単位以下の第２の単位で読み出し、書込可能な第２の光ディスクに書込んで、前記第１の単位のデジタルデータを当該第２の光ディスクに記録する光ディスク高速再生記録装置であって、
前記読み出された第２の単位のデジタルデータのビットずれを検出するビットずれ検出手段と、
前記第２の単位のデジタルデータにビットずれが検出される場合には、前記第２の再生速度より第１の所定速度だけ小さな第３の再生速度で前記第１の単位のデジタルデータを第２の単位で再度読み出す再読出手段とを備える光ディスク高速再生記録装置。
【請求項２】
前記ビットずれ検出手段は、
前記読み出された第２の単位のデジタルデータからコンテンツ成分とサブコード成分を再生する再生手段と、
前記再生されたコンテンツ成分とサブコード成分をシリアルに配列してシリアル情報を生成するシリアル情報生成手段と、
前記シリアル情報のサブコード成分に対してＣＲＣチェックを施してＣＲＣエラー信号を生成するＣＲＣチェック手段と、
前記ＣＲＣエラー信号に基づいて、ＣＲＣエラーが所定時間以上存在する場合にビットずれと判定するビットずれ判定手段とを備える請求項１に記載の光ディスク高速再生記録装置。
【請求項３】
さらに、前記読み出された第２の単位のデジタルデータの再生品質を判定する品質判定手段と、
前記再読出手段は、前記第２の単位のデジタルデータが品質不良と判定される場合には、前記第２の再生速度より第１の所定速度だけ小さな第３の再生速度で前記第１の単位のデジタルデータを第２の単位で再度読み出すことを特徴とする請求項１に記載の光ディスク高速再生記録装置。
【請求項４】
前記品質判定手段は、
前記読み出された第２の単位のデジタルデータからコンテンツ成分とサブコード成分を再生する再生手段と、
前記再生されたコンテンツ成分とサブコード成分を一時的に蓄積するバッファリング手段と、
前記バッファリング手段に蓄積されている前記コンテンツ成分とサブコード成分の量が所定量以下であれば品質不良と判定するアンダーラン検出手段とを備える請求項３に記載の光ディスク高速再生記録装置。
【請求項５】
さらに、前記再度読み出された第２の単位のデジタルデータにビットずれが検出される場合には、前記第３の再生速度より第２の所定速度だけ小さな第４の再生速度で前記第１の単位のデジタルデータを第２の単位で再度読み出す第２の再読出手段とを備える請求項１に記載の光ディスク高速再生記録装置。
【請求項６】
前記第１の所定速度と第２の所定速度は同一であることを特徴とする請求項５に記載の光ディスク高速再生記録装置。
【請求項７】
前記第１の所定速度は、前記第３の再生速度が前記第１の再生速度より小さくならないように決められる任意の値であることを特徴とする請求項１に記載の光ディスク高速再生記録装置。
【請求項８】
前記第２の所定速度は、前記第４の再生速度が前記第１の再生速度より小さくならないように決められる任意の値であることを特徴とする請求項５に記載の光ディスク高速再生記録装置。
【請求項９】
前記第２の単位とは、トラック、セクター、およびデータブロックの何れかであることを特徴とする請求項１に記載の光ディスク高速再生記録装置。
【請求項１０】
前記第１の単位のデジタルデータが前記第２の光ディスクに書き込まれた時点で、当該第１のデジタルデータの管理情報が当該第２の光ディスクの記録データ管理情報格納領域に書き込まれることを特徴とする請求項１に記載の光ディスク高速再生記録装置。
【請求項１１】
前記第２の光ディスクとは、ＭＤ（Ｒ）であり、前記記録データ管理情報格納領域とはＵＴＯＣ領域であり、管理情報とはＵＴＯＣ情報であることを特徴とする請求項１０に記載の光ディスク高速再生記録装置。
【請求項１２】
前記第１の光ディスクとは、ＣＤ（Ｒ）であることを特徴とする請求項１に記載の光ディスク高速再生記録装置。
【発明の詳細な説明】
【０００１】
【発明の属する技術分野】
本発明は、光ディスクをその標準再生速度より大きな速度で再生して記録されているデータを読み出し、書込／書換可能な光ディスクに記録する光ディスク高速再生記録装置に関する。
【０００２】
【従来の技術】
近年、ＣＤやＤＶＤに代表される複数種類の光ディスクに記録されたデータを本来の再生速度より大きな速度で再生すると同時に、別の書込／書換可能な光ディスクに記録する光ディスク高速再生記録装置が開発されている。
このような光ディスク高速再生記録装置の代表的なものとして、記録元の光ディスクとしてＣＤを用い、書込／書換可能光ディスクとしてＭＤを用いたものを例として、その動作について簡単に説明する。音楽用或いは非音楽用データが記録されているＣＤが標準再生速度より高速で回転され、トラックより小さな単位で記録データが読み出されて、所定の記録単位毎（例えば、読出単位／トラックより小さなデータブロック毎またはＣＤ毎）に、ＭＤに書き込まれる。
【０００３】
なお、この書込データに関する管理情報がＭＤのＵＴＯＣ（Ｕｓｅｒ　Ｔａｂｌｅ　ｏｆ　Ｃｏｎｔｅｎｔ）領域に書き込まれて、ＣＤから再生されたデータのＭＤへの記録が完了する。このＵＴＯＣ領域に書き込まれる管理情報をＵＴＯＣ情報と呼ぶ。なお、ＵＴＯＣ領域およびＵＴＯＣ情報は、データの書込に応じて、ユーザによって書込／書換えることができる。一方、ＣＤのような読み出し専用の光ディスクに設けられるＴＯＣ（Ｔａｂｌｅ　ｏｆ　Ｃｏｎｔｅｎｔ）領域およびＴＯＣ情報は、ユーザが任意に書込或いは書換えできないことはよく知られていることである。
【０００４】
光ディスク高速再生記録装置においては、記録元の光ディスク（ＣＤ）をその正規の再生速度の数倍の高速で回転させてデータを読み出すので、通常再生時では問題にならない程度のＣＤの傷や変形、装着精度、回路のノイズ等のデータ再生阻害要因や、それらの要因の組み合わせによって、ＣＤから記録データを正しく読み出せないことがあり、その結果、ＭＤに正しく記録できないことがある。このような場合は、いくらユーザが高速再生記録を望んでも、書込／書換可能光ディスクに記録するためには、ＣＤからデータを正しく読み出せるまで、再生速度を落としてやる必要がある。
【０００５】
つまり、読出阻害要因の内で、ＣＤの傷や変形という媒体の物理的欠陥自体は、再生速度そのものには影響を受けない。しかし、ＣＤの回転速度、つまり再生速度が小さいほど、光ピックアップによる光読み出しに関する阻害度合いも小さくなることにより、データの読み出しが改善される。また、ＣＤのＣＤドライブに対する装着精度という位置精度自体も、再生速度そのものの影響は受けない。しかし、ＣＤの回転速度が小さくなれば、位置精度誤差が原因の、光ピックアップとピットとの位置関係の変化の度合いが小さくなり、光読み出しが改善される。さらに、回路のノイズ等の電気的阻害要因自体も、基本的には、ＣＤの回転速度の影響を受けないが、電気処理としての再生速度の影響を受ける。つまり、再生速度が小さくなれば、ノイズの影響も小さくなり、データの再生が改善される。
【０００６】
上述の異なるデータ生成阻害要因のそれぞれにおいても、高速再生時に記録データが正常に再生できないことが、ＭＤに正常に記録できないことの直接の原因である。そのために、光ディスク高速再生記録装置においては、データ再生障害の真因の別に関わらず、ＣＤの回転速度、つまり再生速度を落として、記録データの正常再生の回復をまって、ＭＤに記録するように構じられている。
【０００７】
上述の記録元の光ディスクの一例として説明されているＣＤは、ＣＬＶ（Ｃｏｎｓｔａｎｔ　Ｌｉｎｅａｒ　Ｖｅｌｏｃｉｔｙ）制御と言われる線速度が一定になるように回転制御される。つまり、読み出し位置が内周側ほど外周側に比べて高速で回転される。また、ＣＤ以外の光ディスクの種類によって、ＣＡＶ（Ｃｏｎｓｔａｎｔ　Ａｎｇｕｌａｒ　Ｖｅｌｏｃｉｔｙ）、ＺＣＡＶ（Ｚｏｎｅ　Ｃｏｎｓｔａｎｔ　Ａｎｇｕｌａｒ　Ｖｅｌｏｃｉｔｙ）、やＺＣＬＶ（Ｚｏｎｅ　Ｃｏｎｓｔａｎｔ　Ｌｉｎｅａｒ　Ｖｅｌｏｃｉｔｙ）の回転制御方法がある。よって、再生速度が光ディスクの回転速度と固定的な関係ではなく、光ディスクの読出／再生位置によっては、同一の再生速度であっても光ディスクは異なる速度で回転される。しかし、何れの制御方法においても、光ディスク高速再生記録装置において、読み出しができない場合には、再生速度（回転速度）を落として記録データの読み出しの改善をまつと言う点においては同じである。
【０００８】
【発明が解決しようとする課題】
上述のように、光ディスク高速再生記録装置においては、同じ再生速度であっても、読出／再生位置によって、光ディスクの回転速度は異なるので、上記の３つの再生阻害要因の寄与率も読出／再生位置によって変化する。つまり、光ディスクの半径方向に、均一な大きさの再生阻害要因が存在する場合に、一定の再生速度で高速再生記録をしようとした場合に、外周側（内周側）では無事に再生できていたものが内周側（外周側）では再生できなくなったりする。さらに、実際には、再生阻害要因の大きさは一定でなく、また存在場所も様々であるので、高速再生記録時には、突然に再生できなくなったり、或いは、突然再生できるようになったりする。
しかしながら、上例の光ディスク高速再生記録装置においては、ＣＤから記録データを読み出して再生する毎に、順次ＭＤに実際に記録し、トラック単位或いはＣＤ単位でＵＴＯＣ情報を書き込んで、ＭＤへの記録を確定する。そのために、ＭＤにデータを記録の途中に、再生不良が発生した場合は、ＵＴＯＣ情報の書込タイミングによっては、少なくともトラック単位或いはＣＤ単位で不良データがＭＤに記録される。このようなＭＤでは、記録された不良データの種類或いはその場所によっては、ＣＤから読み出されてＭＤに記録されたデータがトラック単位或いはＣＤ単位でＭＤから読み出せないという不都合を生じる。
【０００９】
よって、本発明は、光ディスクに記録されているデータをその標準再生速度より大きな速度で読出・再生し、再生されたデータを再生不良に起因する不良データを除いて、書込／書換可能な光ディスクに記録する光ディスク高速再生記録装置を提供することを目的とする。
【００１０】
【課題を解決するための手段および発明の効果】
第１の発明は、デジタルデータが第１の単位で記録されている第１の光ディスクを標準再生速度である第１の再生速度より大きな第２の再生速度で第１の単位以下の第２の単位で読み出し、書込可能な第２の光ディスクに書込んで、第１の単位のデジタルデータを第２の光ディスクに記録する光ディスク高速再生記録装置であって、
読み出された第２の単位のデジタルデータのビットずれを検出するビットずれ検出部と、
第２の単位のデジタルデータにビットずれが検出される場合には、第２の再生速度より第１の所定速度だけ小さな第３の再生速度で第１の単位のデジタルデータを第２の単位で再度読み出す再読出部とを備える光ディスク高速再生記録装置。
【００１１】
上述のように、第１の発明においては、再生データにビットずれが生じた場合には、再生速度を減じて再度再生することで、高速再生に起因する不良再生データの発生を解消できる。
【００１２】
第２の発明は、第１の発明において、ビットずれ検出部は、
読み出された第２の単位のデジタルデータからコンテンツ成分とサブコード成分を再生する再生部と、
再生されたコンテンツ成分とサブコード成分をシリアルに配列してシリアル情報を生成するシリアル情報生成部と、
シリアル情報のサブコード成分に対してＣＲＣチェックを施してＣＲＣエラー信号を生成するＣＲＣチェック部と、
ＣＲＣエラー信号に基づいて、ＣＲＣエラーが所定時間以上存在する場合にビットずれと判定するビットずれ判定部とを備える。
【００１３】
第３の発明は、第１の発明において、さらに、読み出された第２の単位のデジタルデータの再生品質を判定する品質判定部と、
再読出部は、第２の単位のデジタルデータが品質不良と判定される場合には、第２の再生速度より第１の所定速度だけ小さな第３の再生速度で第１の単位のデジタルデータを第２の単位で再度読み出すことを特徴とする。
【００１４】
上述のように、第３の発明においては、不良な再生データが生じた場合には、さらに再生速度を減じて再生することで、高速再生に起因する不良再生データの発生をより効果的に解消できる。
【００１５】
第４の発明は、第３の発明において、品質判定部は、
読み出された第２の単位のデジタルデータからコンテンツ成分とサブコード成分を再生する再生部と、
再生されたコンテンツ成分とサブコード成分を一時的に蓄積するバッファリング部と、
バッファリング部に蓄積されているコンテンツ成分とサブコード成分の量が所定量以下であれば品質不良と判定するアンダーラン検出部とを備える。
【００１６】
第５の発明は、第１の発明において、さらに、再度読み出された第２の単位のデジタルデータにビットずれが検出される場合には、第３の再生速度より第２の所定速度だけ小さな第４の再生速度で第１の単位のデジタルデータを第２の単位で再度読み出す第２の再読出部とを備える。
【００１７】
第６の発明は、第５の発明において、第１の所定速度と第２の所定速度は同一であることを特徴とする。
【００１８】
第７の発明は、第１の発明において、第１の所定速度は、第３の再生速度が第１の再生速度より小さくならないように決められる任意の値であることを特徴とする。
【００１９】
第８の発明は、第５の発明において、第２の所定速度は、第４の再生速度が第１の再生速度より小さくならないように決められる任意の値であることを特徴とする。
【００２０】
第９の発明は、第１の発明において、第２の単位とは、トラック、セクター、およびデータブロックの何れかであることを特徴とする。
【００２１】
第１０の発明は、第１の発明において、第１の単位のデジタルデータが第２の光ディスクに書き込まれた時点で、第１のデジタルデータの管理情報が第２の光ディスクの記録データ管理情報格納領域に書き込まれることを特徴とする。
【００２２】
第１１の発明は、第１０の発明において、第２の光ディスクとは、ＭＤ（Ｒ）であり、記録データ管理情報格納領域とはＵＴＯＣ領域であり、管理情報とはＵＴＯＣ情報であることを特徴とする。
【００２３】
第１２の発明は、第１の発明において、第１の光ディスクとは、ＣＤ（Ｒ）であることを特徴とする。
【００２４】
【発明の実施の形態】
以下に、図１および図２を参照して、本発明の実施の形態にかかる光ディスク高速再生装置について説明する。図１に示すように、光ディスク高速再生記録装置ＨＳＣは、大別して、コンビネーションドライブ１３０、読出データ検出器２００、ＭＤドライブ２３０、オペレーションコントローラ３００、表示部４００を含む。なお、光ディスク高速再生記録装置ＨＳＣには、コンビネーションドライブ１３０およびＭＤドライブ２００から読み出された信号に種々な処理を施して、音声信号、映像、或いはコンピュータデータを生成してスピーカやモニター或いは他の記録装置に出力する読出信号処理部も含まれるが、本発明の特徴ではないので、図示および説明を省く。
【００２５】
表示部４００は、好ましくは、蛍光表示管等などの発光手段で構成されて、光ディスク高速再生記録装置ＨＳＣの動作モードなどの情報を光学的にユーザに提示する。オペレーションコントローラ３００は、コンビネーションドライブ１３０、ＭＤドライブ２００、上述の読出信号処理部（図示せず）、および表示部４００に接続されて、光ディスク高速再生記録装置ＨＳＣ全体の動作を制御する。
【００２６】
コンビネーションドライブ１３０は、少なくとも１つの光ディスクドライブ１３２、ドライブシステムコントローラ１３４、再生速度切替器１３６、および光ディスク制御器（図１では、「ＯＤＣ」と表示）１３８を含む。光ディスクドライブ１３２は、異なる光ディスクメディアを装着して、同光メディアから記録データを読み出して光ディスク制御器１３８に出力する。なお、光ディスクドライブ１３２は、装着する光ディスクの種類を検出する手段を備え、検出された光ディスクの種類毎に、異なる光ディスクドライブとして認識される。よって、本明細書においては、説明の便宜上、それぞれを異なるドライブとして説明する。つまり、光ディスクドライブ１３２は、ＣＤドライブ１３２＿１、ＤＶＤドライブ１３２＿２、ＶＣＤドライブ１３２＿３、およびＭＰ３ドライブ１３２＿４等に代表される光ディスクの再生装置を含む。
【００２７】
ＣＤドライブ１３２＿１は、装着されるＣＤから音楽データ或いはコンピュータプログラム等のデジタルデータを読み出してＣＤデータＳｃｄとして出力する。ＤＶＤドライブ１３２＿２は、ＤＶＤからＭＰＥＧデータＳｄｖを再生して出力する。ＶＣＤドライブ１３２＿３はビデオＣＤから音声信号を再生して、ビデオＣＤ音声信号Ｓｖｄとして出力する。ＭＰ３ドライブ１３２＿４は、光ディスクに記録されたＭＰ３ファイルから音声データを再生して、ＭＰ３音声信号Ｓｍｐとして出力する。ドライブシステムコントローラ１３４は、光ディスクドライブ１３２に接続されて、コンビネーションドライブ制御信号ＳＣｃを相互に交換すると共に光ディスクドライブ１３２の動作を制御し、さらに光ディスクドライブ１３２に装着されている光ディスクの種類を検出する。
【００２８】
ＭＤドライブ２３０は、ＭＤシステムコントローラ２３０＿１と書込読出器２３０＿３を含む。ＭＤドライブ２３０には、さらに、ＭＤを回転させる駆動手段およびその関連の部材も含まれるが、それらは本発明の特徴とするものではないので説明を省く。ＭＤドライブ２３０は、読出データ検出器２００によってコンビネーションドライブ１３０から入力されるＣＤから読み出し再生されたＣＤデータＳｃｄに基づいて生成されたシリアル情報ＩｓｒをＭＤに書込或いはＭＤに書かれているデータを読み出す。
【００２９】
ＭＤシステムコントローラ２３０＿１は、書込読出器２３０＿３を介して、読出データ検出器２００から入力されたシリアル情報Ｉｓｒのサブコード情報に対してＣＲＣチェックを施して、シリアル情報Ｉｓｒにビットずれの有無を検出してＣＲＣエラー信号Ｓｃｒｒを生成する。生成されたＣＲＣエラー信号Ｓｃｒｒは、オペレーションコントローラ３００に出力される。さらに、ＭＤドライブ２３０＿１は、オペレーションコントローラ３００から入力されるＭＤドライブ状態信号ＳＭｍおよびコンビネーションドライブ状態信号ＳＭｃに基づいて、書込読出器２３０＿３の書換可能光ディスク２３０＿５に対する書込／読出を制御する。
【００３０】
オペレーションコントローラ３００は、好ましくは、受光器３２０、およびリモコン３３０を含む。ユーザは、リモコン３３０を操作して、光ディスク高速再生記録装置ＨＳＣに対する指示を与えることができる。つまり、ユーザの操作に応じて、リモコン３３０はリモコン信号ＳＲを照射する。受光器３２０は、リモコン３３０から照射されたリモコン信号ＳＲを受けて、ユーザの操作意志を反映したユーザ指示信号ＳＵをオペレーションコントローラ３００に出力する。
【００３１】
オペレーションコントローラ３００は、受光器３２０から入力されるユーザ指示信号ＳＵとＭＤドライブ２３０から入力されるＭＤドライブ状態信号ＳＭｍおよびＣＲＣエラー信号Ｓｃｒｒに基づいて、コンビネーションドライブ１３０の動作を制御信号するためのコンビネーションドライブ制御信号ＳＯｃを生成して、ドライブシステムコントローラ１３４に出力する。ドライブシステムコントローラ１３４は、コンビネーションドライブ制御信号ＳＯｃに基づいて、コンビネーションドライブ制御信号ＳＣｃを生成して、光ディスクドライブ１３２を制御する。一方、ドライブシステムコントローラ１３４は、光ディスクドライブ１３２に装着されている光ディスクの種別を表すメディア識別情報やコンビネーションドライブ１３０の動作状態情報を含むコンビネーションドライブ状態信号ＳＭｃを生成してオペレーションコントローラ３００に出力する。
【００３２】
オペレーションコントローラ３００は、ユーザ指示信号ＳＵ、コンビネーションドライブ状態信号ＳＭｃ、再生状態信号Ｓｊｒ、ＣＲＣエラー信号Ｓｃｒｒ、およびＭＤドライブ状態信号ＳＭｍに基づいて、ＭＤドライブ２３０の動作を制御するＭＤ制御信号ＳＣｍを生成して、ＭＤドライブ２３０に出力する。
【００３３】
本実施の形態においても、光ディスク高速再生記録装置ＨＳＣは好ましくは、記録元の光ディスクとしてＣＤを用い、書込／書換可能光ディスクとしてＭＤを用いる。よって、ドライブシステムコントローラ１３４は、オペレーションコントローラ３００から入力されるコンビネーションドライブ制御信号ＳＣｃに指示される再生速度に対応する回転速度を表す回転速度指示信号Ｓｒｎを生成して、再生速度切替器１３６に出力する。なお、ドライブシステムコントローラ１３４は、対象とする光ディスクの回転制御方法の種類（ＺＣＡＶ、ＺＣＬＶ、ＣＡＶ等）に応じて、ユーザが指定する再生速度で回転させるように回転速度指示信号Ｓｒｎを生成する。
【００３４】
再生速度切替器１３６は、回転速度指示信号Ｓｒｎに基づいて、ＣＤドライブ１３２＿１を、ユーザが指定する再生速度に対応した速度で回転させる。つまり、ＣＤの場合はＣＬＶ制御のために、データの読出速度である読出位置における線速度がユーザーの指定再生速度になるように、半径方向上の位置に関して回転速度は変化させられる。再生速度切替器１３６は、ＣＤからデータを読み出している速度を表す読出速度信号Ｓｒｓを生成して、光ディスク制御器１３８に出力する。
【００３５】
光ディスク制御器１３８は、読出速度信号Ｓｒｓに基づいて、ＣＤドライブ１３２＿１から入力されるＣＤデータＳｃｄから、オーディオデータ（或いはコンピュータコンテンツデータ）ＳａｄとサブコードＳｓｂを取り出して読出データ検出器２００に出力する。なお、光ディスク制御器１３８からは記録元の光ディスクの種類によって、それぞれ出力されるデータは異なるが、基本的にはＣＤの場合のオーディオデータＳａｄに相当するコンテンツデータと、サブコードＳｓｂに相当する管理データが出力される。この意味において、ＣＤデータＳｃｄから取り出されるオーディオデータＳａｄおよびサブコードＳｓｂを、必要に応じてそれぞれ、コンテンツデータＳａｄおよびコンテンツ管理データＳｓｂと呼称する。
【００３６】
読出データ検出器２００は、コンテンツデータＳａｄとコンテンツ管理データＳｓｂに基づいて、ＣＤからのデータの読出／再生が正常であるか否かを表す、再生状態信号Ｓｊｒを生成して、オペレーションコントローラ３００に出力する。さらに、読出データ検出器２００は、コンテンツデータＳａｄとサブコードＳｓｂのそれぞれを連続的に交互に配置してシリアル情報Ｉｓｒを生成して、ＭＤドライブ２３０の書込読出器２３０＿３に出力する。
【００３７】
具体的に言えば、読出データ検出器２００は、ゲートアレイとミクサで構成されている。ゲートアレイの内部に設けられたバッファに蓄積されるコンテンツデータＳａｄとサブコードＳｓｂの量に基づいて再生状態信号Ｓｊｒが生成される。そして、ミクサによって、コンテンツデータＳａｄとサブコードＳｓｂがシリアル（連続的に交互）に配置されてシリアル情報Ｉｓｒが生成される。なお、シリアル情報Ｉｓｒにおいて、コンテンツデータＳａｄと、そのコンテンツデータＳａｄの管理情報であるサブコードＳｓｂは、その配列において不可分な関係にある。
【００３８】
なお、上述のＣＲＣエラー信号Ｓｃｒｒは、このシリアル情報Ｉｓｒの内のサブコードＳｓｂのＣＲＣチェック結果を示す信号である。これは、光ディスク高速再生記録装置ＨＳＣにおいて、記録元光ディスクの再生中に、何らかの原因でハードウェアに起因するノイズが発生すると、そのノイズがシリアル情報Ｉｓｒ中に混入される場合が発生し得る。ノイズが混入すれば、本来不可分な関係にあるコンテンツデータＳａｄとサブコードＳｓｂの配列が崩れる。つまり、あるコンテンツデータＳａｄを管理するために、そのコンテンツデータＳａｄに連続して配置されなければならないサブコードＳｓｂが別のコンテンツデータＳａｄに連続して配置されてしまうという「ビットずれ」が発生する。一般的に、このビットずれを発生させるノイズは、再生速度が大きいほど発生し易い特性がある。
【００３９】
ビットずれ状態では、シリアル情報Ｉｓｒ中のコンテンツデータＳａｄの部分にサブコードＳｓｂ（又は、サブコードＳｓｂの部分にコンテンツデータＳａｄ）の一部分が混入する。結果、ＭＤシステムコントローラ２３０＿１は、コンテンツデータＳａｄを書換可能光ディスク２３０＿５に正しく記録できない。つまり、書換可能光ディスク２３０＿５に正常に記録出来ないと言う意味において、記録元光ディスクから記録データを正常に再生できていないと言える。つまり、シリアル情報Ｉｓｒを生成するために必要なＣＤデータＳｃｄが再生不良である。そして、シリアル情報Ｉｓｒは、書換可能光ディスク２３０＿５に記録するデータであるとの観点から、シリアル情報Ｉｓｒの生成不良とも言える。
【００４０】
シリアル情報Ｉｓｒのビットずれは、一度発生すると永続するので、シリアル情報Ｉｓｒの書換可能光ディスク２３０＿５への記録を継続してはいけない。
【００４１】
このような事態をモニタするために、ＭＤシステムコントローラ２３０＿１は、読出データ検出器２００から入力されるシリアル情報ＩｓｒのサブコードＳｓｂにＣＲＣチェックを施してＣＲＣエラー信号Ｓｃｒｃを生成している。つまり、ＣＲＣチェックの結果、エラーが所定時間以上継続している場合は、シリアル情報Ｉｓｒのビットずれが発生しており、大きなノイズの出る現時点の再生速度は、記録元光ディスクには大きすぎると判断される。つまり、ＣＲＣエラー信号Ｓｃｒｒの値をもって、シリアル情報Ｉｓｒのビットずれを検出する手段として構成されるものである。つまり、本発明においては、サブコードＳｓｂ部分へのコンテンツデータＳａｄ成分の継続混入によるデータ異常を、ＣＲＣチェックによりエラーとして検出されることをもって、シリアル情報Ｉｓｒのビットずれを検出するものである。
【００４２】
オペレーションコントローラ３００は、さらに、ユーザ指示信号ＳＵに基づいて、ＣＤドライブ１３２＿１に装着されたＣＤを正規の再生速度のＮ倍（Ｎは任意の正の整数）で再生して、再生されたデータをＭＤ（書換可能光ディスク２３０＿５）に記録させる。また、オペレーションコントローラ３００は、上述のユーザ指示信号ＳＵ、コンビネーションドライブ状態信号ＳＭｃ、ＣＲＣエラー信号Ｓｃｒｒ、およびＭＤドライブ状態信号ＳＭｍに基づいて、光ディスク高速再生記録装置ＨＳＣの運転状態を表す運転状態表示信号ＳＯｄを生成して表示部４００に出力する。表示部４００は、運転状態表示信号ＳＯｄに基づいて、光ディスク高速再生記録装置ＨＳＣの運転状態を光学表示を用いてユーザに提示する。
【００４３】
次に、図２に示すフローチャートを参照して、光ディスク高速再生記録装置ＨＳＣによる光ディスク高速再生記録動作についてのみ説明する。光ディスク高速再生記録装置ＨＳＣに電源が投入されてその動作が開始されると、先ず、
ステップＳ２において、ユーザ指示信号ＳＵに基づいて、オペレーションコントローラ３００において光ディスクの高速再生記録（Ｎ倍再生記録）の指示がされているか否かが判断される。Ｎｏの場合は、本ステップの処理を繰り返して、Ｙｅｓと判断された時点で、制御は次のステップＳ４に進む。
【００４４】
ステップＳ４において、ユーザ指示信号ＳＵに基づいて、オペレーションコントローラ３００は、記録元の光ディスクおよび記録先光ディスクを決定する。上述のように、コンビネーションドライブ１３０およびＭＤドライブ２３０には、それぞれ、記録元光ディスク（ＣＤ）およびＭＤ（記録先光ディスク）の装着の有無が自動的に検出される。よって、記録元光ディスク（ＣＤ）或いは記録先光ディスク（ＭＤ）が装着されていない場合には、ユーザは高速再生記録を選択できないので、本ステップにおいては、必ず記録元光ディスクおよび記録先光ディスクが決定される。なお、本例においては、ＣＤおよびＭＤがそれぞれ、記録元光ディスクおよび記録先光ディスクとして決定されると共に認識される。そして、制御は次のステップＳ６に進む。
【００４５】
ステップＳ６において、オペレーションコントローラ３００は、ユーザ指示信号ＳＵに基づいて、記録元光ディスクの正規の再生速度の何倍の速度で再生するかを規定する高速再生倍数Ｎを検出する。つまり、本例においては、ＣＤを正規再生速度の何倍で再生して、ＭＤに記録するかが決定される。なお、本ステップで決定された高速再生倍数Ｎは、コンビネーションドライブ制御信号ＳＯｃとしてドライブシステムコントローラ１３４に出力される。そして、制御は次のステップＳ８に進む。
【００４６】
ステップＳ８において、ドライブシステムコントローラ１３４は、高速再生倍数Ｎに基づいて、記録元光ディスクの回転数を決定して回転速度指示信号Ｓｒｎを生成して、速度切替器１３６に出力する。なお、回転速度指示信号Ｓｒｎが規定する回転数（角速度）は、光ディスクの種類およびその回転制御方法によって、同一の再生速度であっても回転数は一定とは限らないことは上述の通りである。そして、制御は次のステップＳ１０に進む。よって、Ｎ倍の再生速度とはＮ倍の角速度の場合もあれば、そうでない場合もあることは言うまでもない。
【００４７】
ステップＳ１０において、再生速度切替器１３６は、回転速度指示信号Ｓｒｎに基づいて、光ディスクドライブ１３２（ＣＤドライブ１３２＿１）に装着されている記録元の光ディスク（ＣＤ）を正規再生時のＮ倍の速さで回転させる。そして、制御は次のステップＳ１２に進む。
【００４８】
ステップＳ１２において、再生速度切替器１３６は、正規再生時のＮ倍の再生速度で回転されている光ディスク（ＣＤ）の読出位置における読出速度を検出して読出速度信号Ｓｒｓを生成して、光ディスク制御器１３８に出力する。つまり、読出速度信号Ｓｒｓは、光ディスクからデータが読み出されて、光ディスク制御器１３８に入力される速さに対応している。そして、制御は次のステップＳ１４に進む。
【００４９】
ステップＳ１４において、光ディスク制御器１３８は、読出速度信号Ｓｒｓに基づいて、光ディスクドライブ１３２（ＣＤドライブ１３２＿１）で、光ディスク（ＣＤ）から正規再生時のＮ倍の再生速度で読み出されてくるデータ（ＣＤデータＳｃｄを正常再生時のＮ倍の速さで再生して、コンテンツデータ（オーディオデータ）Ｓａｄと管理データ（サブコード）Ｓｓｂを取り出して、読出データ検出器２００に出力する。そして、制御は次のステップＳ１５に進む。
【００５０】
ステップＳ１５において、読出データ検出器２００は、コンテンツデータ（オーディオデータ）Ｓａｄと管理データ（サブコード）Ｓｓｂに基づいて、再生状態を示す再生状態信号Ｓｊｒを生成して、オペレーションコントローラ３００に出力する。そして、制御は次のステップＳ１６に進む。
【００５１】
ステップＳ１６において、ＭＤシステムコントローラ２３０＿１は、シリアル情報ＩｓｒのサブコードＳｓｂの成分にＣＲＣチェックを施して、ＣＲＣエラー信号Ｓｃｒｒを生成して、オペレーションコントローラ３００に出力する。そして、制御は次のステップＳ１７に進む。
【００５２】
ステップＳ１７において、読出データ検出器２００は、コンテンツデータ（オーディオデータ）Ｓａｄと管理データ（サブコード）Ｓｓｂからシリアル情報Ｉｓｒを生成して、３に基づいて、再生状態を示す再生状態信号Ｓｊｒを生成して、ＭＤシステムコントローラ２３０＿１に出力する。そして、制御は次のステップＳ１８に進む。
【００５３】
ステップＳ１８において、オペレーションコントローラ３００は、再生状態信号ＳｊｒおよびＣＲＣエラー信号Ｓｃｒｒに基づいて、記録元の光ディスク（ＣＤ）から記録データが正常に再生されているか否かを判断する。つまり、再生状態信号Ｓｊｒに基づいて、所定時間内に所定量の再生データが読出データ検出器２００に入力されることをもって正常再生と判断し、そうでないアンダーラン状態をもって再生不良と判断する。ＣＲＣエラー信号Ｓｃｒｒに基づいて、所定の時間続いて、エラーが検出されない（ビットずれは発生していない）ことをもって正常再生と判断し、そうでない状態を再生不良と判断する。再生状態信号ＳｊｒおよびＣＲＣエラー信号Ｓｃｒｒが共に正常再生を示している場合にのみ、Ｙｅｓと判断されて、制御はステップＳ１９に進む。つまり、何れか一方でも再生不良を示している場合は、Ｎｏと判断されて、制御はステップＳ２４に進む。
【００５４】
ステップＳ１９において、ＭＤドライブ２３０＿１が、書換可能光ディスク２３０＿５に入力されてきたコンテンツデータＳａｄを書き込めるだけの容量があるか否かを判断する。容量が十分にある場合は、Ｙｅｓと判断されて、制御はステップＳ２０に進む。
【００５５】
ステップＳ２０において、読出データ検出器２００を介して、ＭＤドライブ２３０に入力されたコンテンツデータＳａｄは、書込読出器２３０＿３によって、書込／書換可能光ディスク（ＭＤ）２３０＿５に、所定の記録単位で書き込む。なお、記録単位は、本発明においては、セクター単位、トラック単位、記録元或いは記録先の光ディスク単位であってもよいが、本実施の形態においてはセクターよりも小さな単位が好ましい。よって、記録元の光ディスク（ＣＤ）から逐次読み出されたコンテンツデータＳａｄは、セクターより小さな記録単位で、書込／書換可能光ディスク２３０＿５に書き込まれる。そして、制御は次のステップＳ２２に進む。
【００５６】
ステップＳ２２において、ステップＳ２０における、コンテンツデータＳａｄの書込／書換可能光ディスク２３０＿５（ＭＤ）への書込に関するＵＴＯＣ情報がＭＤシステムコントローラ２３０＿１によって生成されて、書換可能光ディスク２３０＿５（ＭＤ）のＵＴＯＣ領域に書き込まれる。そして、制御は、次のステップＳ２３に進む。
【００５７】
ステップＳ２３において、オペレーションコントローラ３００によって、記録元光ディスクの再生が完了しているか否かが判断される。Ｙｅｓと判断される場合、光ディスク高速再生記録装置ＨＳＣの高速再生記録動作は終了する。
【００５８】
上述の如く、ステップＳ１８においてＮｏ、つまり記録元光ディスクの現在の読み取り位置ではＮ倍速で再生できないと判断される場合は、ステップＳ２４から始まる許容最大再生速度検出処理において、現時点の読み取り位置において記録元光ディスクの可能な最大再生倍速度Ｎｍａｘを高速再生倍数Ｎより少し減速した速度（Ｎ−Ｖｐ）を求める処理が開始される。
【００５９】
ステップＳ２４において、オペレーションコントローラ３００は高速再生倍数Ｎから減速値Ｖｐを減じて、準高速再生倍数Ｋを求める。減速値Ｖｐは、光ディスク高速再生記録装置ＨＳＣにおいて生じている再生不良を、再生速度（回転速度）を少し減じてみて再生状態の回復をまつという観点から適宜決められる所定値である。なお、但し減速値Ｖｐは高速再生倍数Ｎ−１以下であることが好ましい。つまり、減速値ＶｐがＮ−１の場合、準高速再生倍数Ｋは１となり、記録元光ディスク（ＣＤ）を正規再生速度で再生して再生状態の回復を狙うものである。そして、制御は次のステップＳ２６に進む。
【００６０】
ステップＳ２６において、オペレーションコントローラ３００は、さらに、準高速再生倍数Ｋが１より大きいか否かを判断する。Ｙｅｓ、つまり準高速再生倍数Ｋが１倍速より大きい場合には、高速再生倍数Ｎの代わりに準高速再生倍数Ｋをコンビネーションドライブ制御信号ＳＯｃとしてドライブシステムコントローラ１３４に出力する。ステップＳ２４およびＳ２６による処理は、上述のステップＳ６における処理と類似している。但し、ステップＳ６においてはユーザの指示（ユーザ指示信号ＳＵ）通りに高速再生倍数Ｎが決定されるが、本ステップにおいて再生不良状態を改善するために、高速再生倍数Ｎを予め定めておいた減速値Ｖｐだけ減速して準高速再生倍数Ｋが求められる点が異なる。そして、制御は次のステップＳ２８に進む。
【００６１】
なお、ステップＳ２６でＮｏ、つまり準高速再生倍数Ｋが１倍速以下の場合、処理はステップＳ２７に進む。
【００６２】
ステップＳ２７において、準高速再生倍数Ｋが１に設定される。これは、１倍速以下にまで減速することを防止するものである。しかし、１倍速以下で再生することが望ましければ、ステップＳ２６でＫ＞０を判断し、本ステップＳ２７でＫ＝正の値と設定してもよい。そして制御は、上述のステップＳ２８に進む。
【００６３】
ステップＳ２８において、上述のステップＳ８におけるのと同様に、ドライブシステムコントローラ１３４は、高速再生倍数Ｎに基づいて、記録元光ディスクの回転数（ＲＰＭ）を決定して回転速度指示信号Ｓｒｎを生成して、速度切替器１３６に出力する。なお、説明の便宜上、本ステップで生成される回転速度指示信号Ｓｒｎを減速回転速度指示信号Ｓｒｋと呼んで識別する。以下同様に、準高速再生倍数Ｋに対応するシリアル情報ＩｓｒおよびＣＲＣエラー信号Ｓｃｒｒをそれぞれシリアル情報ＩｓｋおよびＣＲＣエラー信号Ｓｃｒｋと識別する。そして、制御は次のステップＳ３０に進む。
【００６４】
ステップＳ３０において、上述のステップＳ１０におけるのと同様に、再生速度切替器１３６は、減速回転速度指示信号Ｓｒｋに基づいて、光ディスクドライブ１３２（ＣＤドライブ１３２＿１）に装着されている記録元の光ディスク（ＣＤ）を正規再生時のＫ倍の速さで回転させる。そして、制御は次のステップＳ３２に進む。
【００６５】
ステップＳ３２において、上述のステップＳ１２におけるのと同様に、再生速度切替器１３６は、正規再生時のＫ倍の速さで回転されている光ディスク（ＣＤ）の読出位置における読出速度を検出して減速読出速度信号Ｓｋｓを生成して、光ディスク制御器１３８に出力する。なお、減速読出速度信号Ｓｋｓは、基本的に読出速度信号Ｓｒｓと同じであるが、その値が読出速度信号Ｓｒｓより小さい。そして、制御は次のステップＳ３４に進む。
【００６６】
ステップＳ３４において、上述のステップＳ３４におけるのと同様に、光ディスク制御器１３８は、減速読出速度信号Ｓｋｓに基づいて、光ディスクドライブ１３２（ＣＤドライブ１３２＿１）で、光ディスク（ＣＤ）から正規再生時のＫ倍の速さで読み出されてくるデータ（ＣＤデータＳｃｄ）を正常再生時のＫ倍の速さで再生して、コンテンツデータ（オーディオデータ）Ｓａｄと管理データ（サブコード）Ｓｓｂ取り出して、読出データ検出器２００に出力する。そして、制御は次のステップＳ３５に進む。
【００６７】
ステップＳ３５において、上述のステップＳ１５におけるのと同様に、読出データ検出器２００は、コンテンツデータ（オーディオデータ）Ｓａｄと管理データ（サブコード）Ｓｓｂに基づいて、再生状態を示す再生状態信号Ｓｊｋを生成して、オペレーションコントローラ３００に出力する。そして、制御は次のステップＳ３６に進む。
【００６８】
ステップＳ３６において、上述のステップＳ１６におけるのと同様に、読出データ検出器２００は、コンテンツデータ（オーディオデータ）Ｓａｄと管理データ（サブコード）Ｓｓｂからシリアル情報Ｉｓｋを生成して、ＭＤシステムコントローラ２３０＿１に出力する。そして、制御は次のステップＳ３７に進む。
【００６９】
ステップＳ３７において、上述のステップＳ１７と同様に、ＭＤシステムコントローラ２３０＿１は、シリアル情報ＩｓｋのサブコードＳｓｂの成分にＣＲＣチェックを施して、ＣＲＣエラー信号Ｓｃｒｒを生成して、オペレーションコントローラ３００に出力する。そして、制御は次のステップＳ３８に進む。
【００７０】
ステップＳ３８において、上述のステップＳ３８と同様に、オペレーションコントローラ３００は、再生状態信号ＳｊｋおよびＣＲＣエラー信号Ｓｃｒｋに基づいて、記録元の光ディスク（ＣＤ）から記録データが正常に再生されているか否かを判断する。Ｎｏと判断される場合は、制御は上述のステップＳ２４に戻り、現在の準高速再生倍数Ｋよりさらに減速して許容最大再生速度Ｎｍａｘをさらに探るものである。一方、Ｙｅｓの場合、制御は上述のステップＳ１９に進む。
【００７１】
なお、上述のステップＳ１９においてＮｏ、つまり記録元光ディスク（ＣＤ）の再生記録データ量に対して、記録先光ディスク（ＭＤ）の記録容量が不足している場合には、制御はステップＳ４０に進む。
【００７２】
ステップＳ４０において、例えば、記録先光ディスク（ＭＤ）の記録容量不足等を表示部４００に表示するなどの所定のエラー処理が行われて、制御は終了する。
【００７３】
上述のように構成することによって、本発明にかかる光ディスク高速再生記録装置ＨＳＣにおいては、記録元光ディスクを正規再生速度より大きな速度で再生しながら、所定の記録単位で再生データを記録先光ディスクに記録する過程において、データが不良再生されている場合には、その不良データが記録先ディスクに書き込まれるものの、その不良データに関するＵＴＯＣ情報を書き込まずに、再生速度を所定の大きさだけ減速して、データ再生が回復するのをまつ。そして、データ再生が回復した時点で所定の記録単位毎に、ＵＴＯＣ情報を書き込むように制御される。そして、次のデータ再生に対しては、再生速度を減速前の元の高速再生で再生することによって、再生品質に応じた適正な速度で光ディスクの高速再生記録が実現できる。
【００７４】
さらに、記録単位を記録元光ディスク、トラック、セクター、およびさらに小さなデータブロックの何れかを任意に設定できるので、生成不良による減速再生の適用範囲も適正に設定できる。結果、記録元光ディスク或いは光ディスク高速再生記録装置ＨＳＣとの関係において生じる再生不良の影響を低減して、高速再生記録が可能である。
【００７５】
また、光ディスク高速再生記録装置ＨＳＣは好ましくは、記録元の光ディスクとしてＣＤを用い、書込／書換可能光ディスクとしてＭＤ用いる。但し、記録元の光ディスクとしては、コンビネーションドライブ１３０に装着できるＣＤ、ＤＶＤ、およびＶＣＤを代表とする光ディスクを用いることができる。さらに、書込／書換可能光ディスクとしては、ＵＴＯＣ情報のように、記録するデータの管理情報をユーザ側で記録できる、ＣＤ−ＲＷやＤＶＤ−ＲＷに代表される光ディスクを用いることができる。
【００７６】
なお、さらに、本実施の形態においては、記録元光ディスクからの再生状態を、読出データ検出器２００に入力されるコンテンツデータＳａｄとサブコードＳｓｂのバッファリング状態（再生状態信号Ｓｊｒ、Ｓｊｋ）と、コンテンツデータＳａｄとサブコードＳｓｂのビットずれ（ＣＲＣエラー信号Ｓｃｒｒ、Ｓｃｒｋ）の双方に基づいて判断している。しかしながら、どちらか一方のみに基づいて判断してもよいことは言うまでもない。
【図面の簡単な説明】
【図１】本発明の実施の形態にかかる光ディスク高速再生記録装置の構成を示すブロック図である。
【図２】図１に示した光ディスク高速再生記録装置の動作を示すフローチャートである。
【符号の説明】
ＨＳＣ　光ディスク高速再生記録装置
１３０　コンビネーションドライブ
１３２＿１　ＣＤドライブ
１３２＿２　ＤＶＤドライブ
１３２＿３　ＶＣＤドライブ
１３２＿４　ＭＰ３ドライブ
１３４　ドライブシステムコントローラ
１３６　再生速度切替器
１３８　光ディスク制御器
２００　読出データ検出器
２３０　ＭＤドライブ
２３０＿１　ＭＤシステムコントローラ
２３０＿３　書込読出器
２３０＿５　書換可能光ディスク
３００　オペレーションコントローラ
３２０　受光器
３３０　リモコン
４００　表示部
【図１】
2004047019.tif 000003
【図２】
2004047019.tif 000004